(57)【要約】      （修正有）【課題】ラティスフェンスのように横方向に長く延在する板材を上方から差し込むだけで簡便に保持し、任意の場所に設置することができ、また設置場所によっては安定性を向上させることが必要であるので、アンカーボルトを容易に設置することのできるコンクリートブロック製ベースブロックを提供する。【解決手段】コンクリートブロック製ベースブロック１が、コンクリートブロック２の基部３と、コンクリートブロックの一面側に形成される十字状の溝５と、基部から突起し、規則正しく格子状に立設した島形状の四つの突起部４とから形成される。十字溝の二方向のそれぞれの溝が平面状の板材を保持する溝深さと溝幅及び平坦状の溝底面を有し、基部に、十字溝の交差する溝底面６から基部の底外面８に向けて貫通する孔９を備える。【選択図】図１
0003177820.tif 000002
【実用新案登録請求の範囲】
【請求項１】
コンクリートブロックで形成され、該コンクリートブロックの基部と該コンクリートブロックの一面側に十字状の溝が形成されることで形成される、前記基部から突起し、規則正しく格子状に立設した島形状の四つの突起部とからなり、前記十字溝の二方向のそれぞれの溝が平面状の板材を保持する溝深さと溝幅及び平坦状の溝底面を有し、前記基部に、前記十字溝の交差する溝底面から該基部の底外面に向けて貫通する孔が形成されたことを特徴とするコンクリートブロック製ベースブロック。
【考案の詳細な説明】
【技術分野】
【０００１】
本考案は、コンクリートブロックで形成されるベースブロックに関する。
【背景技術】
【０００２】
ラティスフェンスあるいはウッドデッキなとのベース（台）にコンクリートブロックが使用される。
【０００３】
特許文献１には、防護柵をコンクリートブロックに、ブロック取付部材を有する防護柵支持部材で固定することが記載されている。
【０００４】
特許文献２には、基礎用コンクリートブロックの側面に溝を設けるもので、溝がコンクリート板をはめ込むために矩形断面とされた基礎用コンクリートブロックが記載されている。
【先行技術文献】
【特許文献】
【０００５】
【特許文献１】特開２０１１-２６９１５号公報
【特許文献２】実開昭６０-５８６４６号公報
【考案の概要】
【考案が解決しようとする課題】
【０００６】
従来、特許文献１に示されるように、ラティスフェンスあるいはウッドデッキなどの板材は、コンクリートブロックに専用の固定金具を用いて固定することが行われてきた。専用の固定金具を用いず、コンクリートブロックに設けた溝を利用して固定すること（特許文献２）が行われてきたが、コンクリートブロックの側面に溝を設ける構造であるためラティスフェンスのように載置して保持したいような場合には、使用できない。
【０００７】
本考案は、かかる点に鑑みてラティスフェンスのように横方向に長く延在する板材を上方から差し込むだけで簡便に載置保持可能で、任意の場所に設置することができ、また設置場所によっては安定性を向上させることが必要とされるときに、アンカーボルトを容易に設置することのできるコンクリートブロックで形成されたコンクリートブロック製ベースブロックを提供することを目的とする。
【課題を解決するための手段】
【０００８】
本考案は、コンクリートブロックで形成され、該コンクリートブロックの基部と該コンクリートブロックの一面側に十字状の溝が形成されることで形成される、前記基部から突起し、規則正しく格子状に立設した島形状の四つの突起部とからなり、前記十字溝の二方向のそれぞれの溝が平面状の板材を保持する溝深さと溝幅及び平坦状の溝底面を有し、前記基部に、前記十字溝の交差する溝底面から該基部の底外面に向けて貫通する孔が形成されたことを特徴とするコンクリートブロック製ベースブロックを提供する。
【考案の効果】
【０００９】
本考案は、上述したように、コンクリートブロック製ベースブロックは、コンクリートブロックの一面側に十字状の溝が形成されることで規則正しく格子状に立設した島形状の四つの突起部が形成され、基部に、十字溝の交差する溝底面から基部の底外面に向けて貫通する孔が形成されるので、ラティスフェンスのように横方向に長く延在する板材を上方から十字溝のいずれかの溝に差し込むだけで簡便に載置保持し、任意の場所に設置することができ、また設置場所によっては安定性が要求されるような場合にあっても上述の孔にアンカーボルトを容易に設置することができるので、安定性が向上する。
【図面の簡単な説明】
【００１０】
【図１】本考案の実施例の構造を示す斜視図。
【図２】本実施例になるベースブロックをラティスフェンス固定のために使用した例を示す図。
【図３】ベースブロックを地面に埋め込んで使用する例を示す図。
【考案を実施するための形態】
【００１１】
以下、本考案の実施例を図面に基づいて説明する。
【実施例】
【００１２】
図１は、本考案の実施例であるコンクリートブロックで形成されたベースブロックを示す。
【００１３】
図１において、ベースブロック１は、ほぼ立方体をなすコンクリートブロック２で形成され、基部３と４つの突起部４（４Ａ、４Ｂ、４Ｃ、４Ｄ）とから構成される。基部３と突起部４とは高さ方向においてほぼ同じ高さを有する。本例の場合、基部３を下側とし、突起部４を上側として使用されるので、高さ方向は図面において、基部３から突起部４に向けての方向となる。ベースブロック１の表面は平坦形状とされる。
【００１４】
図に示すように、コンクリートブロック２の上面側の一面側に十字状の溝５が形成されることで、基部３から突起し、規則正しく立設した島状の四つの突起部４Ａ−４Ｄが形成される。
【００１５】
また、図に示されるように、十字溝５は、中央断面上に形成され、コンクリートブロックの中央部において交差する。十字溝５の二方向のそれぞれの溝は同形状で、連通し、平面状の板材を保持する溝深さと溝幅及び平坦状の溝底面６を有する。それぞれの溝は互いに直交しているが、交差角度を変えるように形成してもよい。また、１つ１つの突起部４Ａ〜４Ｄは立方体状の同一な島形状をなし、表面は当然のことながらコンクリートブロック面である。突起部４Ａ〜４Ｄは、直方体形状とされてもよい。
【００１６】
突起部４は、十字溝５に差し込まれた板材を横方向から押さえ、溝底面で保持することで固定する作用をなす。図に示すように、７〜８ｃｍの溝深さがあれば充分にラティスフェンスのような板材を固定することができる。
【００１７】
コンクリートブロック２の四隅は、面取りされる。また、突起部４Ａ〜４Ｄの外方の２つの面についても面取りがなされる。
【００１８】
以上のようにして形成されたコンクリートブロック製のベースブロック１は、例えば縦２００×横２００×高さ１５０ｍｍで形成することができ、この場合に、その重さは約１０ｋｇとなる。
【００１９】
基部３には、十字溝が交差する交差面７の溝底面から基部３の底外面８に向けて貫通する孔９が形成される。孔９の端は広めの孔１０とされ、アンカーボルトの頭を置くことができる。
【００２０】
したがって、孔９は、コンクリートブロック２の基部３の中央に形成される。この孔９にはアンカーボルトを挿入することができる。孔９は、アンカーボルトの設置する場合に使用でき、使用したい場合には水抜き孔として使用される。
【００２１】
図１に示す例では、立方体形状のコンクリートブロックを使用しているが、長方体形状あるいは円筒形状のコンクリートブロックであってもよい。この場合にあっても断面の中央に十字溝５形成されることになる。
【００２２】
また、コンクリートブロック２は、上面が広めで下面が狭めの角柱錐形状であってもよい。
【００２３】
図２は、図１に示すコンクリートブロック製ベースブロック１によってラティスフェンス１１を保持した状態を示す図である。
【００２４】
図２において、コンクリートブロック製ベースブロック１は、ラティスフェンス１１を立てる台として使用される。ラティスフェンス１１は横方向に長く延在する形状を有する。ラティスフェンス１１が縦方向、すなわち上方向からベースブロック１の十字溝の左側横方向溝に差し込まれて載置され、十字溝の１つの溝で保持され、固定される。この場合に、充分な高さを持つ突起部４はラティスフェンス１１を安定化させる。図に示すように、ラティスフェンス１１の両下端部が溝に差し込まれ、隣接するラティスフェンス１１の両下端部が同一ベースブロック１の十字溝の右側横方向溝に直列状にして差し込まれて固定される。９０°方向にある他のラティスフェンス１１が右端のベースブロック１の十字溝の９０方向溝に差し込まれて固定される。この差し込みによって、Ｔ字形あるいはＸ字形にラティスフェンス１１を載置できる。
【００２５】
隣接するラティスフェンス１１の上端部は専用金具２０で固定するのがよい。
【００２６】
図３は、ラティスフェンス１１をベースブロック１で固定し、ベースブロック１を地面に埋め込んだ状態を示す。この図に示すように、ラティスフェンス１１が風で倒れるおそれがあるような場合にはベースブロック１を７〜８ｃｍ地面に埋めて設置することを行う。また、上述したように、隣接するラティスフェンス１１を合わせる時には、上部に専用金具２０を取り付けて止めることを行う。
【００２７】
ラティスフェンス１１を十字溝５に差し入れた時にぐらつくような時には、隙間２１に薄い板のような物で固定するとより安定する。
【００２８】
ベースブロック１の設置場所がアスファルトやコンクリートの場合、設置場所に穴をあけ、ベースブロック１の中央に設けた孔９にアンカーボルトを通し、固定することで安定化させることができる。
【００２９】
図２にラティスフェンス１１をベースブロック１に固定する例について説明したが、ウッドデッキの台やすのこの台などの板材であっても固定することができる。例えば、２×４ｃｍの角材を差し入れて自由なレイアウトによる遮へいされた空間を容易に作り出すことができる。
【００３０】
この場合に、柱を用いることなく板材を直接十字溝５に差し入れて固定することができ、任意の場所に設置できる。
【００３１】
ペットの遊び場なども極めて容易に設定できる。
【００３２】
十字溝を採用しているので、十字形のラティフェンスあるいはウッドデッキも容易に載置できる。
【符号の説明】
【００３３】
１…ベースブロック、２…コンクリートブロック、３…基部、４…突起部、５…十字溝、６…溝底面、７…交差面、８…底外面、９…孔、１０…広めの孔、１１…ラティスフェンス。
【図１】
0003177820.tif 000003
【図２】
0003177820.tif 000004
【図３】
0003177820.tif 000005